(57)【要約】【課題】  映像信号の特定のフレームを容易に指定することができる。【解決手段】  複数のフレームで構成された映像信号とこの映像信号に関連付けられたタイムコードとを含む入力映像信号を再生する再生部１３と、再生部１３で再生されている入力映像信号の映像信号とタイムコードとを表示する映像表示部１４と、映像表示部１４に表示されている映像信号の中の特定フレームを指定する指定部１５と、指定部１５で指定された特定フレームのタイムコードと特定フレームのメタデータとを関連付ける関連付け部１６と、特定フレームのタイムコードと特定フレームのメタデータと関連付けた関連付けデータをリスト表示するリスト表示部１７と、関連付けデータを出力する出力データ生成部１８とを備える。【選択図】  図２
2007036502.tif 000002
【特許請求の範囲】
【請求項１】
複数のフレームで構成された映像信号とこの映像信号と関連付いたタイムコードとを含む入力映像信号が入力される入力手段と、
上記入力手段より入力された入力映像信号を再生する再生手段と、
上記再生手段で再生されている入力映像信号の映像信号とタイムコードとを表示する映像表示手段と、
上記映像表示手段に表示されている映像信号の中の特定フレームを指定し、この指定した特定フレームのメタデータを生成する指定手段と、
上記指定手段で指定された特定フレームのタイムコードと上記特定フレームのメタデータとを関連付ける関連付け手段と、
上記特定フレームのタイムコードと特定フレームのメタデータと関連付けた関連付けデータをリスト表示するリスト表示手段とを備えるデータ処理装置。
【請求項２】
上記装置は、更に、上記特定フレームのタイムコードと特定フレームのメタデータと関連付けた関連付けデータを含む出力データを生成し出力する出力データ生成手段を備えることを特徴とする請求項１記載のデータ処理装置。
【請求項３】
上記出力データは、ＥＤＬ（Edit Decision List）形式であることを特徴とする請求項２記載のデータ処理装置。
【請求項４】
上記映像表示手段は、上記再生手段で再生される映像信号をグリッド上に表示し、
上記指定手段は、上記グリッドを構成する一又は複数の区画部を指定し、上記メタデータとなる区画指定データを生成し、
上記関連付け手段は、上記特定フレームのタイムコードと上記区画指定データとを関連付けた関連付けデータを生成することを特徴とする請求項１記載のデータ処理装置。
【請求項５】
上記映像表示手段は、上記区画部の大きさを可変することを特徴とする請求項４記載のデータ処理装置。
【請求項６】
上記装置は、更に、上記再生手段での映像信号の再生速度を変更する再生速度変更手段を備えることを特徴とする請求項１記載のデータ処理装置。
【請求項７】
上記指定手段は、上記メタデータとなる映像信号中にチャプタ開始位置を特定するチャプタフラグデータを生成し、
上記関連付け手段は、上記特定フレームのタイムコードと上記チャプタフラグデータとを関連付けた関連付けデータを生成することを特徴とする請求項１記載のデータ処理装置。
【請求項８】
上記指定手段は、上記メタデータとなる特定フレームの重要度を示す重要度データを生成し、
上記関連付け手段は、上記特定フレームのタイムコードと上記重要度データとを関連付けた関連付けデータを生成することを特徴とする請求項１記載のデータ処理装置。
【請求項９】
上記入力映像信号は、更に、上記映像信号と上記タイムコードで関連付いた音声信号を含み、
上記指定手段は、上記メタデータとなる特定の音声信号を指定する音声フラグデータを生成し、
上記関連付け手段は、上記特定の音声信号のタイムコードと音声フラグデータとを関連付けた関連付けデータを生成することを特徴とする請求項１記載のデータ処理装置。
【請求項１０】
上記入力映像信号は、暗号化されており、
上記装置は、更に、上記再生手段の前段に、上記入力映像信号の暗号を復号する暗号復号手段を備えることを特徴とする請求項１記載のデータ処理装置。
【請求項１１】
複数のフレームで構成された映像信号とこの映像信号と関連付いたタイムコードとを含む入力映像信号を再生手段で再生するステップと、
上記再生手段で再生されている入力映像信号の映像信号とタイムコードとを表示手段に表示するステップと、
上記表示手段に表示されている映像信号の中の特定フレームを指定し、この指定した特定フレームのメタデータを指定手段で生成するステップと、
上記指定手段で指定された特定フレームのタイムコードと上記特定フレームのメタデータとを関連付け手段で関連付けるステップと、
上記特定フレームのタイムコードと特定フレームのメタデータと関連付けた関連付けデータを上記表示手段にリスト表示するステップとを有するデータ処理方法。
【請求項１２】
コンピュータに、
複数のフレームで構成された映像信号とこの映像信号と関連付いたタイムコードとを含む入力映像信号を再生手段で再生するステップと、
上記再生手段で再生されている入力映像信号の映像信号とタイムコードとを表示手段に表示するステップと、
上記表示手段に表示されている映像信号の中の特定フレームを指定し、この指定した特定フレームのメタデータを指定手段で生成するステップと、
上記指定手段で指定された特定フレームのタイムコードと上記特定フレームのメタデータとを関連付け手段で関連付けるステップと、
上記特定フレームのタイムコードと特定フレームのメタデータと関連付けた関連付けデータを上記表示手段にリスト表示するステップと
を実行させるプログラム。
【発明の詳細な説明】
【技術分野】
【０００１】
本発明は、タイムコードに関連付けられた映像信号の特定フレームを選択するデータ処理装置、データ処理方法及びコンピュータプログラムに関する。
【背景技術】
【０００２】
ＤＶＤ（Digital Versatile Disc）制作に使用されるコンテンツの中には、従来制作されたアナログのアニメーションや映画等がある。近年、これらアナログのコンテンツをディジタルのコンテンツマスターに変換する作業が行われている。
【０００３】
これらの作業は、企画構成の後、映像制作や音声制作が行われ、ディジタルのコンテンツマスターが作成される。具体的に、このマスターの作成は、アナログコンテンツのディジタル変換の後、色補正、輪郭補正、画面サイズの決定、傷消し等を行い、更に、ロゴの挿入、特典映像編集、メニュー画面編集、サウンドデザイン等の編集を行い、この後、Ｄβカム、ＨＤカム、ＤＴＲＳ等のディジタルのフォーマットに変換することによって作成される。
【０００４】
この後、ディジタルマスターは、圧縮後の画質や音質が決定され、ＭＰＥＧ２圧縮がされ、次いで、オーサリング処理がされ、次いで、プレビューチェックがされる。具体的に、オーサリング工程では、字幕、映像、音声のインタラクティブ機能を付加し、この後、エミュレータを用いてメニュー、動き、映像、音声のチェックが行われる。
【０００５】
以上のような処理によって、プルーフ盤が作成され、この後、頒布のためＤＶＤ等が製造される。
【０００６】
ところで、上述したマスターが作成されると、通常、コンテンツの所有者である依頼者によって、ディジタルのコンテンツマスターのノイズ等のチェックが行われ、映像制作会社では、依頼者から指定されたノイズ除去の作業が行われる。このノイズ除去の作業は、ディジタルコンテンツの画質や音質に大きく影響するものであり、重要な作業である。
【０００７】
しかしながら、映像信号は、時間軸上に並んだ複数のフレームで構成されていることから、依頼者において、再生される映像の中から傷のあるフレームを指定することは、極めて面倒な作業であり、また、映像制作会社において、指定されたフレームを特定することも極めて面倒な作業となっている。また、ＤＶＤの映像信号は、複数のチャプタで構成されることから、依頼者の側では、チャプタの開始位置を特定する必要がある。しかしながら、このチャプタの指定作業や特定作業も極めて面倒な作業となっている。
【０００８】
【特許文献１】特開平１０−９８６４５号公報
【発明の開示】
【発明が解決しようとする課題】
【０００９】
本発明は、以上のような問題点に鑑みてなされたものであり、その目的は、映像信号の特定のフレームを容易に指定することができるデータ処理装置、データ処理方法及びコンピュータプログラムを提供することにある。
【００１０】
更に、本発明の目的は、指定された特定フレームのメタデータを容易に作成し又見ることができるデータ処理装置、データ処理方法及びコンピュータプログラムを提供することにある。
【００１１】
更に、本発明の目的は、特定されたフレームの中で傷等がある位置を容易に特定することができるデータ処理装置、データ処理方法及びコンピュータプログラムを提供することにある。
【課題を解決するための手段】
【００１２】
本発明に係るデータ処理装置は、複数のフレームで構成された映像信号とこの映像信号と関連付いたタイムコードとを含む入力映像信号が入力される入力手段と、上記入力手段より入力された入力映像信号を再生する再生手段と、上記再生手段で再生されている入力映像信号の映像信号とタイムコードとを表示する映像表示手段と、上記映像表示手段に表示されている映像信号の中の特定フレームを指定し、この指定した特定フレームのメタデータを生成する指定手段と、上記指定手段で指定された特定フレームのタイムコードと上記特定フレームのメタデータとを関連付ける関連付け手段と、上記特定フレームのタイムコードと特定フレームのメタデータと関連付けた関連付けデータをリスト表示するリスト表示手段とを備える。
【００１３】
また、本発明に係るデータ処理方法は、複数のフレームで構成された映像信号とこの映像信号と関連付いたタイムコードとを含む入力映像信号を再生手段で再生するステップと、上記再生手段で再生されている入力映像信号の映像信号とタイムコードとを表示手段に表示するステップと、上記表示手段に表示されている映像信号の中の特定フレームを指定し、この指定した特定フレームのメタデータを指定手段で生成するステップと、上記指定手段で指定された特定フレームのタイムコードと上記特定フレームのメタデータとを関連付け手段で関連付けるステップと、上記特定フレームのタイムコードと特定フレームのメタデータと関連付けた関連付けデータを上記表示手段にリスト表示するステップとを有する。
【００１４】
更に、本発明に係るプログラムは、コンピュータにインストールされて、このコンピュータに上述のデータ処理方法を実行させるものであり、光ディスク等の可搬性記録媒体やネットワークを介して拡布される。
【発明の効果】
【００１５】
本発明によれば、特定のフレームを容易に指定することができ、また、指定された特定フレームのタイムコードと特定フレームのメタデータと関連付けた関連付けデータをリスト表示するので、指定されたフレームとそのフレームのメタデータを容易に見ることができ、ユーザが指定したフレームを容易に特定し、更に、そのフレームのメタデータを簡単に知ることができる。特定フレームのタイムコードと特定フレームのメタデータと関連付けた関連付けデータは、複数台で共有することができ、それぞれの操作者が、入力映像信号中の特定フレームを容易に見つけ出すことができる。
【発明を実施するための最良の形態】
【００１６】
以下、本発明を適用したデータ処理装置について図面を参照して説明する。
【００１７】
本発明は、例えばコンピュータプログラムをコンピュータ等のデータ処理装置にインストールすることによってその機能を実現することができる。すなわち、図１に示すように、本発明のデータ処理装置１は、コンピュータと同様な構成であり、オペレーティングシステム、アプリケーションプログラム、コンピュータで処理される処理データ、コンテンツデータ等が格納されるハードディスク２と、制御プログラム等が格納されるＲＯＭ（Read Only Memory）３と、処理データ等がロードされるＲＡＭ４（Random Access Memory）と、全体を制御するＣＰＵ（Central Processing Unit）５と、キーボード、マウス等で構成される操作部６と、ＣＲＴ（Cathode Ray Tube）、ＬＣＤ（Liquid Crystal Display）等で構成される表示部７と、光ディスク等のディスクドライブ８と、外部と通信をするための通信Ｉ／Ｆ９と、音声信号を可聴音にして出力するスピーカ１０とを備えている。以上のようなデータ処理装置に本発明の機能を実現させるコンピュータプログラムは、光ディスク等の記録媒体、ネットワークを介して拡布され、ディスクドライブ８や通信Ｉ／Ｆ９からハードディスク２にインストールされる。
【００１８】
本発明が適用されたコンピュータプログラムがインストールされたデータ処理装置１の機能について、図２を参照して説明すると、素材となるディジタルのコンテンツデータが入力される入力端子１１と、入力端子１１より入力されたコンテンツデータの暗号を復号する暗号復号部１２と、暗号復号部１２で復号されたコンテンツデータの再生処理を行う再生部１３と、再生部１３で再生されたコンテンツデータを表示する映像表示部１４と、コンテンツデータを構成する映像信号の特定フレームを指定する指定部１５と、指定部１５で指定された特定フレームと映像信号に含まれるタイムコードとを関連付ける関連付け部１６と、関連付け部１６で関連付けられた関連付けデータをリスト表示するリスト表示部１７と、出力データを生成する出力データ生成部１８と、出力データを出力する出力端子１９とを備える。
【００１９】
ここで、コンテンツデータは、例えば、既存のアナログのコンテンツデータを素材とした、例えば、過去に作成されたアニメーションデータ、映画データ等であり、映画制作者が制作した上述したマスターとなるディジタルのコンテンツデータのチェック用データである。この入力されるチェック用のデータは、例えばＤβカム、ＨＤカム、ＤＴＲＳ等のディジタルのフォーマットで構成されている。このコンテンツデータは、タイムコードによって映像信号と音声信号とが関連付けられており、映像信号は、タイムコードによって複数のフレームが時間軸上に並べられて構成されている。このようなコンテンツデータは、更に、映像制作会社の専用機によって暗号化され、チェック用のデータとして安全な状態で依頼者に提供することができるようになっている。以上のようなチェック用のコンテンツデータは、インターネット等のネットワークを介して通信Ｉ／Ｆ９より又はディスクドライブ８よりデータ処理装置１の入力端子１１を介して入力される。
【００２０】
暗号復号部１２は、暗号復号用鍵データを格納しており、入力端子１１より入力された入力された暗号化コンテンツデータの復号処理を行い、再生部１３に出力する。
【００２１】
再生部１３は、暗号が復号されたコンテンツデータの映像信号に対して復調処理、エラー訂正復号処理等を行って再生映像信号を生成すると共にコンテンツデータの音声信号に対して復調処理、エラー訂正復号処理等を行って再生音声信号を生成し、タイムコードで再生映像信号と再生音声信号とを同期させて、再生映像信号を映像表示部１４に出力し表示部７で表示できるようにし、再生音声信号をスピーカ１０に出力する。
【００２２】
ここで、再生部１３には、再生速度変更部１３ａが接続されている。再生速度変更部１３ａは、順方向及び逆方向に標準再生速度を速く又は遅くする再生速度変更信号を生成する。具体的に、再生速度変更部１３ａは、標準的再生速度を１０倍、８倍、６倍、４倍、２倍、０．５倍、０．２倍、０．１倍等にする速度変更信号を再生部１３に入力し、再生速度を変更できるようにする。再生速度変更部１３ａは、速度変更信号を、後述するコマ送りボタン２１ｂや操作部６を構成するキーボードからの入力に応じた速度変更信号を生成し、再生部１３に入力する。例えば、ここでは、キーボードの「Shift」キー＋「↑」キーで再生速度を増加する再生速度変更信号を生成し、「Shift」キー＋「↓」キーで再生速度を減少する再生速度変更信号を生成し、「Space」キー又は「Enter」キーで再生停止の停止信号を生成し、操作を簡素化し容易にしている。
【００２３】
映像表示部１４は、表示部１７の表示画面に再生映像信号を表示する。ここで、図３に、映像表示部１４によって表示されるメインダイアログのページを示す。このメインダイアログのページは、コンテンツデータを構成する映像信号が表示されるプレビューウィンドウ２１と、再生するコンテンツデータに関連する情報が表示されるインフォメーションウィンドウ２２と、タイムコードを表示するタイムコードウィンドウ２３と、ユーザが指定した映像信号の特定フレームに関連する情報を表示するリストウィンドウ２４と、指定された特定フレームに関連したコメントが入力されるコメントウィンドウ２５と、リストウィンドウ２４に挙げられたリストの表示内容を選択するフィルタウィンドウ２６とから構成されている。
【００２４】
プレビューウィンドウ２１は、コンテンツデータの映像が表示されると共に、再生位置に合わせて再生時間２１ｄが表示される。また、プレビューウィンドウ２１には、映像下に、再生バー２１ａが表示され、再生位置を確認することができる。再生バー２１ａの一端部には、画面上で再生速度を可変することができるように順方向と逆方向のコマ送りボタン２１ｂが設けられ、他端部には、画面上でスピーカ１０から放音される再生音の音量を調整することができるように音量つまみ２１ｃが設けられている。
【００２５】
インフォメーションウィンドウ２２は、プロジェクトファイル、すなわちコンテンツデータの再生を開始した際に、再生するコンテンツデータに関連した情報を表示し、再生前に、これから再生するコンテンツデータの確認を行うことができるようにしている。例えば、インフォメーションウィンドウ２２には、再生するコンテンツデータのハードディスク２等の保存先、映像信号の総フレーム数、スタートタイムコード、エンドタイムコード等が表示される。
【００２６】
タイムコードウィンドウ２３は、プレビューウィンドウ２１で表示されている映像のタイムコードを表示する。なお、ここでは、データ処理装置１に対する負荷を下げるために間隔を置いてカウントアップする。
【００２７】
リストウィンドウ２４は、指定したレベル、すなわち重要度で指定されたフレームの上方がリスト表示される。このリストウィンドウ２４では、図示した指定したフレームの重要度を示すスポッティングレベル、チャプタの開始位置を特定するチャプタフラグ、特定フレームに同期した音声信号を特定するオーディオフラグ、指定したフレームのINタイムコード、Outタイムコードと、図示しないが指定したフレームに関連したコメント、指定したフレームのIn点フレーム番号、詳細データ欄を有している。そして、スポッティングレベルの変更、チャプタフラグの有無、オーディオフラグの有無、IN及びOutタイムコードの変更、リスト表示された項目の削除等は、事後的に変更削除可能となっている。
【００２８】
コメントウィンドウ２５は、リストウィンドウ２４のコメント欄に表示させるコメントが入力される。また、リストウィンドウ２４において、コメントが付加されているフレームが選択された場合には、そのコメントがコメントウィンドウに表示される。
【００２９】
フィルタウィンドウ２６は、リストウィンドウ２４にリスト表示するフレームの条件を入力することができる。例えば、フィルタウィンドウ２６では、すべてを表示、重要度がHighのみ表示、Lowのみ表示、チャプタのみ表示等の条件を選択することができ、選択された条件に合致したものをリストウィンドウ２４に表示するようにする。
【００３０】
図２に示すように、指定部１５は、再生されているコンテンツデータのフレームを特定する。具体的に、指定部１５は、指定された時間軸上の所定範囲を、開始位置のタイムコード（INタイムコード）と終了位置のタイムコード（Outタイムコード）で特定する。この指定は、操作部６を構成するキーボードによって行うことができる。例えば、指定部１５は、キーボードの「Ｆ１」キー乃至「Ｆ３」キーが押されている間のフレームをタイムコードで特定する。すなわち、「Ｆ１」キー乃至「Ｆ３」キーが押されたときのタイムコードをINタイムコードとし、押圧が解除されたときのタイムコードをOutタイムコードとし、極めて容易に所定範囲の映像をタイムコードと関連付けて特定することができるようにしている。以上のようにして特定された所定範囲のフレームは、図３に示すリストウィンドウ２４の指定したフレームのINタイムコード、Outタイムコードに表示される。
【００３１】
なお、以上の操作を行うにあたっては、キーボードの他のキーやマウスを用いて行っても良く、更に、他の操作装置を用いても良い。
【００３２】
また、関連付け部１６は、指定部１５で指定された所定範囲のフレームに関連したメタデータを操作部６からの入力に応じて生成する。ここでは、例えば、上述の「Ｆ１」キーが押されたとき、指定したフレームのINタイムコード、Outタイムコードを特定すると共に、メタデータとして、スポッティングレベルが「高」のスポッティングデータを生成する。また、「Ｆ２」キーが押されたとき、指定したフレームのINタイムコード、Outタイムコードを特定すると共に、メタデータとして、スポッティングレベルが「中」のスポッティングデータを生成する。更に、「Ｆ３」キーが押されたとき、指定したフレームのINタイムコード、Outタイムコードを特定すると共に、メタデータとして、スポッティングレベルが「低」のスポッティングデータを生成する。
【００３３】
なお、以上の操作を行うにあたっては、キーボードの他のキーやマウスを用いて行っても良く、更に、他の操作装置を用いても良い。
【００３４】
また、関連付け部１６は、チャプタの開始位置を特定するチャプタフラグを、指定したフレームのタイムコードに関連付けて生成する。ここでは、例えば、「Ｆ４」キーが押されたとき、チャプタフラグを生成し設定する。なお、チャプタフラグは、チャプタの先頭となるフレームを特定するものであるから、時間軸上所定範囲のフレームに関連付けられるのではなく、一のフレーム、例えばキーの押圧開始時点のフレームに関連付けられることになる。
【００３５】
なお、以上の操作を行うにあたっては、キーボードの他のキーやマウスを用いて行っても良く、更に、他の操作装置を用いても良い。
【００３６】
更に、関連付け部１６は、特定フレームに同期した音声信号を特定するオーディオフラグを、指定したタイムコードに関連付けて生成する。ここでは、例えば、「Ｆ５」キーが押されたとき、オーディオフラグを生成し設定する。
【００３７】
なお、以上の操作を行うにあたっては、キーボードの他のキーやマウスを用いて行っても良く、更に、他の操作装置を用いても良い。
【００３８】
リスト表示部１７は、指定部１５で指定されたフレーム及び指定されたフレームのメタデータを図３に示したリストウィンドウ２４に表示する。すなわち、リスト表示部１７は、指定部１５で所定範囲又は一時点のフレームが特定されると、特定されたフレームのフレームのINタイムコード、Outタイムコードをリストウィンドウ２４に表示する。また、リスト表示部１７は、特定されたフレームのメタデータをリストウィンドウ２４に表示する。すなわち、関連付け部１６では、操作部１６からの入力に応じて、スポッティングデータ、チャプタフラグ、オーディオフラグを生成する。リスト表示部１７は、これらのデータをリストウィンドウ２４に特定されたフレームのフレームのINタイムコード、Outタイムコードに関連付けて表示する。
【００３９】
また、リスト表示部１７は、リストウィンドウ２４のリストの一が操作部１６のマウス等で選択されたとき、再生部１３が選択されたINタイムコードから再生を開始するようにする。なお、図３では、リストウィンドウ２４のリスト表示されたものの最下段が選択された状態を示している。
【００４０】
ところで、上述した映像表示部１４は、例えば操作部１６のマウスでプレビューウィンドウ２１上を右クリックされたとき、図４に示す詳細ダイアログのページを表示する。この詳細ダイアログのページは、現在表示している映像信号の一フレームを表示する詳細プレビューウィンドウ３１と、詳細プレビューウィンドウ３１において操作部６となっているマウスのカーソル下のグリッドを拡大表示するグリッド拡大ウィンドウ３２を有している。
【００４１】
詳細プレビューウィンドウ３１は、詳細ダイアログ内で映像信号のフレームに対する詳細情報を与えるために用いられるものであり、映像表示部１４は、グリッド表示のチェックボックス３１ａがチェックされたとき、グリッド３１ｄを表示する。例えば、このグリッド３１ｄは、２０ピクセル毎に区画されている。このサイズは、適宜設定データを変更することによって可変することができ、用途に応じて区画部３１ｂの大きさを決めることができる。グリッド３１ｄの各区画部３１ｂは、操作部６となっているマウスでクリックすることによって選択／非選択を切り換えることができる。指定部１５は、所定の区画部３１ｂが選択されると、その区画を太枠表示３１ｅをし、関連付け部１６は、詳細プレビューウィンドウ３１に表示されているフレームのタイムコードに関連付けた区画指定データを生成すると共にリスト表示部１７の表示に、区画指定マーク３１ｃを表示する。ここでは、リスト表示部１７は、リストウィンドウ２４の指定したフレームの重要度を示すスポッティングレベルに重畳して区画指定マーク３１ｃを表示する。
【００４２】
また、詳細プレビューウィンドウ３１の上部には、選択された区画部３１ｂのポイント数が表示される。なお、図４の例では、指定ポイント数が３になっている。グリッド拡大ウィンドウ３２は、詳細プレビューウィンドウ３１において操作部６となっているマウスのカーソル下のグリッドを拡大表示するものであり、各区画部３１ｂの詳細を拡大して見ることができる。ユーザは、ノイズのある区画部３１ｂを選択状態にすることによって表示されているフレーム内におけるノイズ等の位置を特定することができる。
【００４３】
なお、以上の操作を行うにあたっては、キーボードの他のキーやマウスを用いて行っても良く、更に、他の操作装置を用いても良い。
【００４４】
このグリッド３１ｄを構成する各区画部３１ｂの選択／非選択は、例えばフレームに存在するノイズの位置を特定するのに有用である。フレームに存在するノイズは、明るさ、色等がことなり、種類によっては、特定しづらいものもある。そこで、更に詳細プレビューウィンドウ３１では、表示されているフレームのネガ反転を、ネガ反転チェックボタン３３をチェックすることによって行うことができる。ここでは、映像表示部１４が詳細プレビューウィンドウ３１に表示されているフレームのネガ反転処理を行う。また、詳細プレビューウィンドウ３１では、コントラスト調整バー３４によってコントラストの変更を行うことができる。ここでは、映像表示部１４が詳細プレビューウィンドウ３１に表示されているフレームのコントラストの調整処理を行う。以上のようなネガ反転処理やコントラスト調整処理によって、ユーザは、よりフレーム内に存在するノイズを発見しやすくすることができる。
【００４５】
なお、グリッド初期化ボタン３５を押すと選択グリッド情報をリセットすることができる。
【００４６】
この図４に示す詳細ダイアログのページでは、図３のメインダイアログのページのように、ユーザが指定した映像信号の特定フレームに関連する情報を表示するリストウィンドウ２４が表示されていない。そこで、図４に示す詳細ダイアログのページでは、詳細プレビューウィンドウ３１に現在表示されているフレームに、そのフレームのタイムコードと関連付けたスポッティングデータを設定できるように、スポッティングレベル「高」の「High」ボタン３６、スポッティングレベル「中」の「Midium」ボタン３７、スポッティングレベル「低」の「Low」ボタン３８が設けられている。また、既に、リストウィンドウ２４にリストとして挙げられているフレームのときには、そのフレームのスポッティングレベルのボタンに「既定」と表示される。
【００４７】
既に設定されているスポッティングレベルをキャンセルするキャンセルボタン３９が設けられている。更に、詳細ダイアログのページ内において、詳細プレビューウィンドウ３１に表示されているフレームを順方向にコマ送りするための進むボタン４０と逆方向にコマ送りするための戻るボタン４１が設けられている。これにより、再生速度変更部１３ａは、ボタン４０，４１に従った速度変更信号を再生部１３に入力し、再生部１３は、速度変更信号に応じた映像を、詳細プレビューウィンドウ３１に表示する。これにより、フレーム内におけるノイズ等を見つけ出す作業を図４に示す詳細ダイアログのページ内で容易に行うことができる。
【００４８】
以上のような機能を実行するプログラムがインストールされたデータ処理装置１では、図２に示すように、出力データ生成部１８より出力データが生成され、出力データが出力端子１９に接続されたディスクドライブ８の光ディスク等の記録媒体やハードディスク２や通信Ｉ／Ｆ９を介した外部コンピュータの記憶部に保存される。出力データ生成部１８で生成される出力データは、具体的に、図３のメインダイアログのページのリストウィンドウ２４に表示されたタイムコードとメタデータとを関連付けた関連付けデータである。すなわち、出力データ生成部１８は、特定されたフレームのフレームのINタイムコード、Outタイムコードに関連付けたスポッティングデータ、チャプタフラグ、オーディオフラグ、区画指定データを含む出力データを、ＣＳＶ（Comma Separated Value）形式、ＰＤＦ（Portable Document Format）形式、ＥＤＬ（Edit Decision List）形式等の二次利用可能な簡易なファイル形式で生成する。更に、画像データを取り扱うことができる保存形式、例えばＰＤＦ形式では、指定されたフレームの代表画像を表示し、この代表画像に関連付けてテキスト形式でINタイムコード、Outタイムコードに関連付けたスポッティングデータ、チャプタフラグ、オーディオフラグ、区画指定データ等の関連付けデータを保存するようにしても良い。チェックの対象となっているコンテンツデータは、映画制作者と依頼者とが既に所有していることから、この出力データは、コンテンツデータそのものは含まれてない小さいサイズのデータとすることができ、取り扱いを容易にすることができる。
【００４９】
このような出力データは、コンテンツデータの所有者である依頼者と映像制作会社とで共有することによって、ディジタルのコンテンツデータのノイズ等のチェック作業を容易にすることができる。例えば、以上のように説明したプログラムを、依頼者のコンピュータと映画制作者のコンピュータとにインストールする。そして、依頼者のコンピュータにおいて、コンテンツデータの再生を行ってノイズ等のチェック作業を行い、出力データを生成する。そして、この出力データを、光ディスク等の可搬性の記録媒体やネットワークを介して映画制作者のコンピュータにも供給する。そして、映画制作者のコンピュータで、依頼者からの出力データを読み込んで、コンテンツデータと合わせて再生する。これによって、依頼者と映画制作者とで同じデータを共有することができ、両者でチャプタの開始位置やノイズ除去が必要なフレームの特定を容易に行うことができるようになる。
【００５０】
なお、以上、コンピュータ等でなるデータ処理装置に本発明の機能を実行するコンピュータプログラムをインストールして行う例を説明したが、本発明の機能は、ハードウェアによっても実現可能である。
【図面の簡単な説明】
【００５１】
【図１】データ処理装置のブロック図である。
【図２】データ処理装置にインストールされるコンピュータプログラムの機能ブロック図である。
【図３】メインダイアログのページを示す図である。
【図４】詳細ダイアログのページを示す図である。
【符号の説明】
【００５２】
１  データ処理装置、１１  入力端子、１２  暗号復号部、１３  再生部、１３ａ  再生速度変更部、１４  映像表示部、１５  指定部、１６  関連付け部。１７  リスト表示部、１８  出力データ生成部、１９  出力端子、２１  プレビューウィンドウ、２１ａ  再生バー、２１ｂ  コマ送りボタン、２１ｃ  音量つまみ、２１ｄ  再生時間、２２  インフォメーションウィンドウ、２３  タイムコードウィンドウ、２４  リストウィンドウ、２５  コメントウィンドウ、２６  フィルタウィンドウ、３１  詳細プレビューウィンドウ、３１ａ  チェックボックス、３１ｂ  区画部、３１ｃ  区画指定マーク、３１ｄ  グリッド、３１ｅ  太枠表示
【図１】
2007036502.tif 000003
【図２】
2007036502.tif 000004
【図３】
2007036502.tif 000005
【図４】
2007036502.tif 000006